(57)【要約】【課題】給電時のユーザの利便性を向上できる充電制御システム等を提供すること。【解決手段】充電器が送信するビーコン信号に含まれる前記充電器の識別情報を、ユーザが操作する携帯端末から受信する第１受信手段と、前記識別情報に対応する前記充電器の管理者毎に個別に設定された画面表示を行わせるための画面情報を前記携帯端末へ送信する送信手段と、前記画面情報に基づく前記携帯端末での前記画面表示に対して前記ユーザが行う操作に関する情報を前記携帯端末から受信する手段と、を備える充電制御システムである。【選択図】  図１
2020022110.tif 000002
【特許請求の範囲】
【請求項１】
充電器が送信するビーコン信号に含まれる前記充電器の識別情報を、ユーザが操作する携帯端末から受信する第１受信手段と、
前記識別情報に対応する前記充電器の管理者毎に個別に設定された画面表示を行わせるための画面情報を前記携帯端末へ送信する送信手段と、
前記画面情報に基づく前記携帯端末での前記画面表示に対して前記ユーザが行う操作に関する情報を前記携帯端末から受信する手段と、
を備える充電制御システム。
【請求項２】
前記送信手段は、前記ビーコン信号に含まれる識別情報により特定される前記充電器の管理者に応じた画面情報を前記携帯端末へ送信する、
請求項１記載の充電制御システム。
【請求項３】
前記第１受信手段は、位置情報を前記携帯端末から受信し、
前記送信手段は、前記位置情報から特定される前記充電器の管理者に応じた画面情報を前記携帯端末へ送信する、
請求項１又は請求項２記載の充電制御システム。
【請求項４】
前記画面表示は、少なくとも、前記管理者毎に設定されている代金支払に関する選択肢を前記ユーザへ与える内容を含む、
請求項１乃至請求項３のいずれか１項記載の充電制御システム。
【請求項５】
前記携帯端末の存在する位置を示す位置情報を前記携帯端末から受信する手段、
前記位置情報と前記充電器の設置位置との整合性を判断する手段、
を更に備える請求項１又は請求項２記載の充電制御システム。
【請求項６】
充電器の識別情報を含むビーコン信号を前記充電器から受信する処理と、
前記ビーコン信号の受信に応じて特定される前記充電器の管理者毎に個別に設定された画面表示を行う処理と、
前記画面表示に対して前記ユーザが行う操作に関する情報を前記情報処理サーバへ送信する処理と、
を携帯端末に実行させるためのアプリケーションプログラム。
【請求項７】
前記ビーコン信号に含まれる前記識別情報を情報処理サーバへ送信する処理と、
前記識別情報に対応する前記充電器の管理者毎に個別に設定された画面表示を行わせるための画面情報を前記情報処理サーバから受信する処理と、
をさらに携帯端末に実行させるための請求項６記載のアプリケーションプログラム。
【請求項８】
前記携帯端末の存在する位置を示す位置情報を前記情報処理サーバへ送信する処理、
を更に前記携帯端末に実行させるための請求項６又は請求項７記載のアプリケーションプログラム。
【請求項９】
充電器が、当該充電器の識別情報を含むビーコン信号を送信するステップと、
ユーザの操作する携帯端末が、前記ビーコン信号に含まれる前記識別情報を情報処理サーバへ送信するステップと、
前記情報処理サーバが、前記識別情報に対応する前記充電器の管理者毎に個別に設定された画面表示を行わせるための画面情報を前記携帯端末へ送信するステップと、
前記携帯端末が、前記画面情報に基づく前記画面表示を行うステップと、
前記携帯端末が、前記画像表示に対して前記ユーザが行う操作に関する情報を前記情報処理サーバへ送信するステップと、
を備える、充電制御システムにおける制御方法。
【発明の詳細な説明】
【技術分野】
【０００１】
本発明に係るいくつかの態様は、充電制御システム、アプリケーションプログラム、及び充電制御システムにおける制御方法に関する。
【背景技術】
【０００２】
近年、電気自動車の普及に伴い、電気自動車への充電サービスが徐々に普及しつつある。例えば特許文献１には、給電スタンドと、ユーザが利用する端末機と通信網を介して通信するサーバとからなる電動車両用給電システムが開示されている。当該システムでは、給電スタンドに、そのスタンドを特定するための識別コードが表示され、その識別コードが端末機を介してサーバに送信されることで、どの給電スタンドから給電を行うかをサーバが認識する。ユーザは、充電ケーブルで給電スタンドと車載電池とを接続して、端末機からサーバを介した要求により、給電スタンドから車載電池に給電させる。
【先行技術文献】
【特許文献】
【０００３】
【特許文献１】特許第５４８９３０２号公報
【発明の概要】
【発明が解決しようとする課題】
【０００４】
ところで、各地に設置される給電スタンドは、それぞれ異なる業者等の営業主体によって管理され、運用されると考えられる。このため、給電スタンドごとにサービスの提供方法（例えば代金の支払方法など）が異なるものとなり得る。このため、ユーザは、異なる業者等のそれぞれに対応して利用するホームページを切り換えて携帯機によりアクセスする必要があり、あるいは業者等のそれぞれに対応したアプリケーションプログラム（いわゆるアプリ）を携帯機にインストールする必要があるなど、給電スタンドの利用に際して煩わしい操作を行う必要がある。
【０００５】
本発明のいくつかの態様は前述の課題に鑑みてなされたものであり、給電時のユーザの利便性を向上できる充電制御システム、アプリケーションプログラム、及び充電制御システムにおける制御方法を提供することを目的の１つとする。
【課題を解決するための手段】
【０００６】
本発明に係る充電制御システムは、充電器が送信するビーコン信号に含まれる前記充電器の識別情報を、ユーザが操作する携帯端末から受信する第１受信手段と、前記識別情報に対応する前記充電器の管理者毎に個別に設定された画面表示を行わせるための画面情報を前記携帯端末へ送信する送信手段と、前記画面情報に基づく前記携帯端末での前記画面表示に対して前記ユーザが行う操作に関する情報を前記携帯端末から受信する手段と、を備える。
【０００７】
本発明に係るアプリケーションプログラムは、充電器の識別情報を含むビーコン信号を前記充電器から受信する処理と、前記ビーコン信号の受信に応じて特定される前記充電器の管理者毎に個別に設定された画面表示を行う処理と、前記画面表示に対して前記ユーザが行う操作に関する情報を前記情報処理サーバへ送信する処理と、を携帯端末に実行させる。
【０００８】
本発明に係る充電制御システムにおける制御方法は、充電器が、当該充電器の識別情報を含むビーコン信号を送信するステップと、ユーザの操作する携帯端末が、前記ビーコン信号に含まれる前記識別情報を情報処理サーバへ送信するステップと、前記情報処理サーバが、前記識別情報に対応する前記充電器の管理者毎に個別に設定された画面表示を行わせるための画面情報を前記携帯端末へ送信するステップと、前記携帯端末が、前記画面情報に基づく前記画面表示を行うステップと、前記携帯端末が、前記画像表示に対して前記ユーザが行う操作に関する情報を前記情報処理サーバへ送信するステップと、を備える。
【０００９】
なお、本発明において、「部」や「手段」、「装置」、「システム」とは、単に物理的
手段を意味するものではなく、その「部」や「手段」、「装置」、「システム」が有する
機能をソフトウェアによって実現する場合も含む。また、１つの「部」や「手段」、「装
置」、「システム」が有する機能が２つ以上の物理的手段や装置により実現されても、２
つ以上の「部」や「手段」、「装置」、「システム」の機能が１つの物理的手段や装置に
より実現されても良い。
【図面の簡単な説明】
【００１０】
【図１】実施形態に係る充電システムの構成例を示す図である。
【図２】実施形態に係る充電サービス提供サーバの機能構成の具体例を示す図である。
【図３】実施形態に係る充電用アプリケーションの機能構成の具体例を示す図である。
【図４】実施形態に係る受電器の機能構成の具体例を示す図である。
【図５】実施形態に係る充電システムの処理の流れを示すシーケンス図である。
【図６】充電器の管理者毎にカスタマイズされた内容の表示の一例を示す図である。
【図７】実施形態に係る充電サービス提供サーバのハードウェア構成の具体例を示す図である。
【図８】実施形態に係る携帯型端末のハードウェア構成の具体例を示す図である。
【発明を実施するための形態】
【００１１】
以下、図面を参照して本発明の実施形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１２】
図１乃至図８は、実施形態を説明するための図である。以下、これらの図を参照しながら、以下の流れに沿って実施形態を説明する。まず、「１」で実施形態に係る充電システムの概要を説明する。続いて「２」で充電システムを構成する各機器の機能構成を説明し、「３」で充電システムにおける処理の流れを説明する。「４」では、充電システムを構成する各機器を実現可能なハードウェア構成の具体例を説明する。最後に「５」以降で、本実施形態に係る効果などを説明する。
【００１３】
（１．  概要）
（１．１．  システム構成の概要）
まず、図１を参照しながら、実施形態に係る充電システム１の構成及び処理の概要を説明する。充電システム１は、充電サービス提供サーバ１０と、ユーザＵの操作する携帯型端末２０と、充電器３０（給電スタンド）と、決済サービス提供サーバ４０と、クーポンサービス提供サーバ５０とを含む。充電サービス提供サーバ１０と、携帯型端末２０と、充電器３０と、決済サービス提供サーバ４０と、クーポンサービス提供サーバ５０とは、それぞれネットワークＮを介して有線又は無線により、相互に通信可能である。ここで、図１の例では携帯型端末２０及び充電器３０を１台ずつしか示していないが、充電システム１内に充電サービス提供サーバ１０、携帯型端末２０及び充電器３０を複数含むことが可能である。また、携帯型端末２０は、充電器３０から送信された例えばＢｌｕｅｔｏｏｔｈ（登録商標）によるビーコン信号を受信可能である。
【００１４】
本充電システム１においてユーザＵは、携帯型端末２０及び電気自動車である車両ＥＶを所有もしくは貸借等することにより使用している。ユーザＵは、充電器３０の充電ケーブルに車両ＥＶを接続し、また、携帯型端末２０にインストールされた充電用アプリケーションプログラム（以下、「充電用アプリ」とも呼ぶ。）を操作することにより、車両ＥＶ内のバッテリを充電することができる。
【００１５】
充電サービス提供サーバ１０は、ネットワークＮを介して、携帯型端末２０、充電器３０と逐次通信することにより、充電器３０による車両ＥＶへの給電等を制御する。また充電サービス提供サーバ１０は、携帯型端末２０へ充電状況や充電の完了を通知する。更に充電サービス提供サーバ１０は、充電器３０による充電開始に伴い、クーポンサービス提供サーバ５０に対し、充電器３０の周辺の店舗で利用可能なクーポンを携帯型端末２０に発行させる機能も持つ。なお、当該クーポン発行に関しては、充電開始を充電サービス提供サーバ１０が携帯型端末２０へ予め送信した上で、携帯型端末２０からクーポンサービス提供サーバ５０に対してクーポン発行要求を送信するようにしてもよい。
【００１６】
なお、先述の通り、充電システム１上に、充電サービス提供サーバ１０が複数存在してもよい。この場合、充電サービス提供サーバ１０は、各々異なるサービス提供者（充電器３０の管理者）の管理するサーバとし、複数の充電サービス提供サーバ１０は、それぞれ異なる充電サービスを提供することが可能である。
【００１７】
携帯型端末２０は、例えばいわゆるスマートフォンと呼ばれる携帯電話や、タブレット型端末、ＰＤＡ（Ｐｅｒｓｏｎａｌ  Ｄｉｇｉｔａｌ  Ａｓｓｉｓｔａｎｔ）等により実現することができ、ネットワークＮを介して、充電サービス提供サーバ１０や、決済サービス提供サーバ４０と逐次通信する。携帯型端末２０には、先述の通り充電用アプリがインストールされている。携帯型端末２０は、充電器３０の一定距離内へと移動し、例えばＢｌｕｅｔｏｏｔｈ（登録商標）によるビーコン信号を受信すると、自動的にビーコン信号に含まれる充電器３０の識別信号を取得し、充電サービス提供サーバ１０に当該識別信号を送信する。これにより、充電サービス提供サーバ１０からは当該識別信号に対応する充電器３０に関する情報が得られるため、携帯型端末２０の充電用アプリは、例えばポップアップ表示等により充電器３０に関する情報を、ユーザＵによる明示的な操作がなくとも表示することが可能である。
【００１８】
ユーザＵは、携帯型端末２０にインストールされた充電用アプリを実行及び操作することにより、充電サービス提供サーバ１０による制御の下、充電器３０から車両ＥＶのバッテリを充電することができる。この際、充電サービスの提供を受けるために必要なユーザＵの識別情報や決済情報は、携帯型端末２０の充電アプリが管理する記憶領域上に管理される。
【００１９】
また携帯型端末２０は、当該充電用アプリにより、充電状況や充電の完了をユーザＵに報知することもできる。これにより、ユーザＵは、たとえ充電器３０の近傍で待機せずとも、充電状況や充電完了を把握することが可能となる。更に携帯型端末２０は、充電サービス提供サーバ１０から発行されたクーポンをユーザＵが利用可能とする。
【００２０】
ここで、携帯型端末２０にインストールされる充電用アプリは、１つで複数の充電サービス（たとえば、それぞれ管理者の異なる充電器３０による充電サービス）に対応する。各充電サービスにより充電用アプリは表示内容を変える。この際、充電用アプリは充電器３０からビーコン信号を受信し、当該ビーコン信号及び／またはＧＰＳ等により取得可能な位置情報に基づいて適切な充電サービスを判別した上で、当該充電サービスの表示内容を選択して表示する。
【００２１】
充電器３０は、充電サービス提供サーバ１０による制御の下、車両ＥＶに給電する。充電器３０は給電ケーブルの制御線により車両ＥＶの情報や充電状況を逐次車両ＥＶから取得可能であり、更に充電器３０はこれらの情報を逐次充電サービス提供サーバ１０へ通知可能である。また充電が完了した際には、充電器３０は充電完了を充電サービス提供サーバ１０へと通知する。なお、充電サービス提供サーバ１０と充電器３０との間の通信は、主にＯｐｅｎ  Ｃｈａｒｇｅ  Ｐｏｉｎｔ  Ｐｒｏｔｏｃｏｌ（ＯＣＰＰ）に基づいて行われる。
【００２２】
なお、先述の通り、充電システム１以上に、充電器３０は複数存在してもよい。この場合、異なる複数のサービス提供者が、それぞれ１以上の充電器３０を管理することが可能である。
【００２３】
決済サービス提供サーバ４０は、携帯型端末２０からの要求に応じて、携帯型端末２０に格納された決済情報の有効性を確認する処理や、充電器３０による車両ＥＶの充電に伴い発生した代金をユーザＵに対して課金するための決済処理を行う。そのために決済サービス提供サーバ４０は、例えば銀行口座やクレジットカード等から、発生代金を引き落とす決済サービスを提供する。ここで、本実施形態において、決済に必要な決済情報は携帯型端末２０の充電用アプリが管理している。充電開始前に、携帯型端末２０の充電用アプリは決済サービス提供サーバ４０との間で決済情報の有効性を確認する。また、充電サービス提供サーバ１０からの充電完了通知の受信等のタイミングで、充電用アプリは決済サービス提供サーバ４０との間で決済処理を行う。
【００２４】
クーポンサービス提供サーバ５０は、充電サービス提供サーバ１０又は携帯型端末２０からの要求を受けて、携帯型端末２０に対してクーポンを発行する。ここで、クーポンサービス提供サーバ５０が発行するクーポンは、ユーザＵが充電を行っている充電器３０の近傍の店舗で利用できるものである。これによりユーザＵは、充電器３０による車両ＥＶの充電中に、充電器３０の近くの店舗で過ごすことができる。また先述の通り、ユーザＵがたとえ店舗の中にいたとしても、充電が完了すれば、ユーザＵは携帯型端末２０による報知でそれを知ることが可能である。
【００２５】
なお、前述のとおり、クーポン発行要求を送信するのは充電サービス提供サーバ１０であっても携帯型端末２０からであっても、いずれでも構わない。以下の説明では、主に、充電サービス提供サーバ１０側からクーポンサービス提供サーバ５０に対してクーポン発行を要求する場合を中心に説明する。
【００２６】
ネットワークＮは、先述の通り充電サービス提供サーバ１０、携帯型端末２０、充電器３０、決済サービス提供サーバ４０、及びクーポンサービス提供サーバ５０を相互に通信可能に接続する。ネットワークＮは、例えばインターネット等により実現することができ、内部に無線ＬＡＮのアクセスポイントや携帯電話の基地局等を含むことができる。
【００２７】
（１．２．  充電処理の概要）
以下、図１を参照しながら、充電システム１において充電を行う際の処理の流れを説明する。
【００２８】
充電器３０からは、Ｂｌｕｅｔｏｏｔｈ（登録商標）通信のＢｅａｃｏｎ（ビーコン）信号が定期的に発信されている。特に、充電器３０の発信するビーコン信号は、Ａｐｐｌｅ社のｉＢｅａｃｏｎ（登録商標）に準拠し、当該ビーコン信号には、充電器３０に対して一意に割り当てられる識別子の情報（識別情報）を含むことができる。
【００２９】
車両ＥＶの所有者であるユーザＵは、携帯型端末２０の充電用アプリが動作した状態で充電器３０から一定距離内に入る。すると、携帯型端末２０の充電用アプリはビーコン信号の受信強度等から充電器３０の近傍にいることを検出し、その旨を自動的に（ユーザＵの明示的な操作なしに）画面表示上でユーザＵに通知することができる。なお、ビーコン信号の検出時において、充電用アプリはユーザＵによって明示的に起動されている必要は必ずしもなく、バックグラウンドで動作していればよい。
【００３０】
このとき、ビーコン信号には、充電サービス（すなわち、充電器３０の管理者）を特定するための識別情報を含むことができる。この場合、携帯型端末２０の充電用アプリは、当該充電器３０から受信したビーコン信号に応じた充電サービスの表示内容を表示させることが可能である。
【００３１】
あるいは、充電アプリは、位置情報に応じて表示画面を変えるようにしてもよい。充電器３０からビーコン信号を受信した場合には、携帯型端末２０の近傍に充電器３０があることが推測される。よって、ビーコン信号を受信した場合に、位置情報をキーとして充電器３０の位置と提供される充電サービスとの対応関係の情報を参照することにより、位置情報から適切な充電サービスを選択することが可能である。
【００３２】
ビーコン信号を検出した携帯型端末２０の充電用アプリは、当該ビーコン信号に含まれる充電器３０の識別情報を、充電サービス提供サーバ１０へと送信する。
【００３３】
充電サービス提供サーバ１０は、充電器３０の識別情報を受信すると、当該識別情報に係る充電器情報をデータベース上で確認し、当該充電器情報を携帯型端末２０へと送信する。
【００３４】
携帯型端末２０の充電用アプリは、充電器情報を受信すると、当該充電器情報で示される充電器３０の給電ケーブルを車両ＥＶの給電端子に接続するように促す表示を行う。このとき、携帯型端末２０における画面表示は、充電器３０の所有ないし管理する者（以下、単に「管理者」という。）ごとにカスタマイズされた表示内容、すなわち管理者ごとに異なる仕様の表示内容によって行われる。また、ユーザＵが充電器３０の給電ケーブルを車両ＥＶに接続し、充電を開始する旨の操作を充電用アプリ上で行うと、充電用アプリは、予め登録されているユーザＵの認証情報を充電サービス提供サーバ１０へ、決済情報を決済サービス提供サーバ４０へと送信する。ここで、ユーザＵの認証情報は、充電サービス提供サーバ１０が提供する充電サービスを受けるためにユーザＵが予め登録する情報であり、携帯型端末２０の充電用アプリが管理する記憶領域に格納される。また、決済情報は、ユーザＵが決済サービス提供サーバ４０の提供する決済サービスにて充電費用を支払うための情報である。例えば、決済情報にはクレジットカードや銀行口座に関する情報、或いは決済サービス提供サーバ４０が提供する決済サービスのアカウント情報（例えばメールアドレスやパスワード）等を含むことができる。決済情報は、予め携帯型端末２０の充電用アプリが管理する記憶領域に格納される。もし決済情報の確認処理の結果、当該決済情報が有効であることが確認できれば、携帯型端末２０の充電用アプリは、その確認結果を充電サービス提供サーバ１０へと通知する。
【００３５】
充電サービス提供サーバ１０は、携帯型端末２０からユーザＵの認証情報を受信すると、当該認証情報が有効であるか否かを確認する。もし認証情報が有効であり、また、決済情報の有効性を確認した旨の通知も携帯型端末２０から受信すれば、充電サービス提供サーバ１０は、ＯＣＰＰに基づく充電開始要求を充電器３０に対して送信する。また、充電サービス提供サーバ１０は、充電器３０による充電開始に伴い、クーポンサービス提供サーバ５０に対してクーポンの発行を要求する。クーポンサービス提供サーバ５０は当該要求を受けて、携帯型端末２０に対してクーポンを発行する。当該クーポンを例えば充電器３０の近傍に存在する店舗に関するものとすれば、ユーザＵは充電を待つ間に、それらの店舗で、携帯型端末２０を通じて当該クーポンを使用することができる。
【００３６】
なお、クーポン発行に係る処理については、前述のとおり、充電開始を充電サービス提供サーバ１０が携帯型端末２０に送信し、これを受けて携帯型端末２０の充電用アプリがクーポンサービス提供サーバ５０に対してクーポン発行を要求することにより、クーポンサービス提供サーバ５０が携帯型端末２０にクーポンを発行するようにしても良い。
【００３７】
充電器３０は、充電開始要求を充電サービス提供サーバ１０から受信すると、車両ＥＶの充電を開始する。充電器３０は、逐次車両ＥＶから給電ケーブルを介して充電電流／充電電圧や全容量に対する充電済み容量の割合、予測される充電の残り時間等に関する情報を取得し、充電サービス提供サーバ１０にＯＣＰＰに基づいて通知する。また、車両ＥＶに対する充電が完了すると充電器３０は充電完了を充電サービス提供サーバ１０へ通知する。
【００３８】
充電サービス提供サーバ１０は、充電器３０からの情報に基づいて逐次充電状況を携帯型端末２０へ通知することが可能である。これにより、携帯型端末２０の所有者であり、車両ＥＶの充電を待っているユーザＵは、車両ＥＶの充電状況、特に充電残り時間等を逐次把握することが可能となる。
【００３９】
また、充電完了通知を受信すると、充電サービス提供サーバ１０は、携帯型端末２０に対して充電完了を通知する。当該通知を受信した携帯型端末２０の充電用アプリは、充電量等に応じた決済処理を決済サービス提供サーバ４０との間で行う。決済処理が完了すると、携帯型端末２０の充電用アプリは、例えばポップアップ等によりその旨をユーザＵに報知する。
【００４０】
（２．  機能構成）
以下、図２乃至図４を参照しながら、本実施形態に係る充電システム１を構成する充電サービス提供サーバ１０、携帯型端末２０にインストールされる充電用アプリ２００、及び充電器３０の機能構成を説明する。
【００４１】
（２．１．  充電サービス提供サーバ１０）
まず、図２を参照しながら充電サービス提供サーバ１０の機能構成を説明する。図２は、充電サービス提供サーバ１０の機能構成の具体例を示す機能ブロック図である。充電サービス提供サーバ１０は、ユーザ端末制御部１１０、充電器制御部１２０、及びデータベース（ＤＢ）１３０を含む。
【００４２】
ユーザ端末制御部１１０は、携帯型端末２０との間で通信することで、ユーザＵによる携帯型端末２０に対する制御を行う。ユーザ端末制御部１１０は、充電器情報処理部１１１、充電情報通知部１１３、ユーザ画面処理部１１５、ユーザ情報処理部１１７、及びクーポン発行処理部１１９を含む。
【００４３】
充電器情報処理部１１１は、ユーザＵの操作する携帯型端末２０から、充電器３０の識別情報を受信し、当該識別情報に対応する充電器情報１３３をＤＢ１３０から取得する。充電器情報１３３には、ユーザＵが充電器３０を物理的に確認するために必要な充電器３０の位置や名称等に関する文字列情報や、各充電器３０の管理者（または充電サービス）を示す情報（管理者識別情報）などを含むことができる。なお、充電器情報処理部１１１は、充電器３０の識別情報と共に、携帯型端末２０の位置情報を取得してもよい。充電器情報処理部１１１は、当該充電器情報１３３に含まれる文字列情報などを携帯型端末２０へと送信する。
【００４４】
充電情報通知部１１３は、充電器３０による車両ＥＶへの充電開始後、逐次ＯＣＰＰに基づき充電制御部１２０が取得した充電状況を、必要に応じて携帯型端末２０へ送信する。充電情報通知部１１５は、例えば定期的に充電状況を携帯型端末２０へ通知してもよいし、或いは携帯型端末２０からの問合せに応じて充電状況を通知してもよい。また、充電情報通知部１１５は、充電器３０による車両ＥＶへの充電が完了した旨の充電完了通知を受信すると、充電完了を携帯型端末２０へと通知する。
【００４５】
ユーザ画面処理部１１５は、充電器情報処理部１１１によって取得された管理者識別情報及び／または位置情報に基づいて、充電器３０の管理者を特定し、当該特定された管理者に対応した画面表示を携帯型端末２０に行わせるための情報（画面情報）を携帯型端末２０へと送信する。
【００４６】
ユーザ情報処理部１１７は、充電を開始する際に携帯型端末２０からユーザＵの認証情報を受信し、ＤＢ１３０に予め格納されているユーザ認証情報１３１と照合する。当該照合が成功すればユーザ認証が成功した、すなわち受信した認証情報が有効であると判断される。またユーザ情報処理部１１７は、ユーザＵが充電サービス提供サーバ１０の提供する充電サービスの利用登録を行う際に、ユーザＵのＩＤやパスワードを含む認証情報を携帯型端末２０等の情報処理装置から取得し、ＤＢ１３０に登録する。
【００４７】
クーポン発行処理部１１９は、充電器３０による車両ＥＶへの充電開始に伴い、クーポンサービス提供サーバ５０に、携帯型端末２０に対するクーポンの発行を要求する。ここで、クーポン発行処理部１１９による要求に基づいてクーポンサービス提供サーバ５０が携帯型端末２０に対して発行するクーポンは、例えば車両ＥＶへの充電を行っている充電器３０に係る充電器情報１３３に予め対応付けられた店舗等に関するクーポンとすることができる。
【００４８】
充電器制御部１２０は、充電器３０との間でＯＣＰＰに基づく各種通信を行うことにより、充電器３０を制御する。この充電器制御部１２０は、充電開始要求部１２１、充電状況取得部１２３及び充電完了通知受信部１２５を含む。
【００４９】
充電開始要求部１２１は、ユーザ情報処理部１１７が携帯型端末２０から取得した認証情報の有効性がユーザ情報処理部１１７により確認され、また決済情報が有効である旨の通知を携帯型端末２０から受信すると、充電器３０に対し、ＯＣＰＰに基づき充電開始を要求する。充電器３０は当該要求を受信すると、給電ケーブルが車両ＥＶに接続されていれば、車両ＥＶへの給電を開始する。
【００５０】
充電状況取得部１２３は、充電器３０による車両ＥＶへの給電開始後、充電器３０から逐次、給電量や充電残り時間等に係る充電状況の情報をＯＣＰＰに基づき受信する。充電状況取得部１２３が受信した充電状況の情報は、ユーザ端末制御部１１０の充電情報通知部１１３が、例えば要求に応じて、若しくは随時、携帯型端末２０へ通知する。
【００５１】
充電完了通知受信部１２５は、充電器３０から、車両ＥＶへの充電が完了した旨の充電完了通知をＯＣＰＰに基づき受信する。充電完了通知受信部１２５が充電完了通知を受信すると、充電完了通知部１１５が携帯型端末２０に対して、充電及び決済が完了した旨を通知する。
【００５２】
ＤＢ１３０は、ユーザ認証情報１３１、及び充電器情報１３３を含む各種情報を管理する。
【００５３】
ユーザ認証情報１３１は、ユーザＵが、充電サービス提供サーバ１０の提供する充電サービスを利用する際に登録される認証のための情報であり、例えばユーザＩＤやパスワード等の情報を含むことができる。前述のとおり携帯型端末２０の充電用アプリは、当該充電用アプリの管理する記憶領域に認証情報を管理しており、充電サービスの開始時に、携帯型端末２０は当該認証情報を送信する。ユーザ情報処理部１１７は、当該受信した認証情報と、ＤＢ１３０で管理されるユーザ認証情報１３１とを照合し、両者が整合すれば、携帯型端末２０から受信した認証情報が正当なものであるとして認証する。
【００５４】
充電器情報１３３は、充電器３０に対して一意に割り当てられる識別情報と、充電器３０に関する、例えば位置、当該充電器３０の管理者等の情報とを対応付けたものである。充電器情報処理部１１１が充電器３０の識別情報を受信すると、充電器情報処理部１１１は当該識別情報をキーとして当該識別情報に対応付けられた充電器３０の充電器情報１３３を抽出し、充電器情報１３３を携帯型端末２０へと送信する。これによりユーザＵは、近傍にある（すなわち、識別番号をビーコン信号により識別番号を受信した）充電器３０に関する情報を、携帯型端末２０上で確認することが可能となる。
【００５５】
また、充電器情報処理部１１１が充電器情報１３３を参照することにより充電器３０の管理者の情報を特定する場合には、ユーザ画面処理部１１５は、当該管理者に応じた表示画面を携帯型端末２０に表示させることができる。
【００５６】
（２．２．  充電用アプリケーション２００）
次に、図３を参照しながら、本実施形態に係る携帯型端末２０にインストールされる充電用アプリケーション（充電用アプリ）２００の機能構成を説明する。充電用アプリ２００は、表示制御部２１０、入力部２２０、充電器情報処理部２３０、ユーザ情報処理部２４０、クーポン処理部２５０、決済処理部２６０、データベース（ＤＢ）２７０および位置情報通知部２８０を含む。
【００５７】
表示制御部２１０は、携帯型端末２０のディスプレイに対する表示を制御する。例えば、ビーコン信号として受信した充電器３０の識別番号に対応する充電器情報を充電サービス提供サーバ１０から受信した場合に、表示制御部２１０は当該充電器情報を携帯型端末２０のディスプレイ上に表示する。また、例えば充電完了通知を充電サービス提供サーバ１０から受信し、また決済処理部２６０による充電費用の決済処理が完了した際には、表示制御部２１０は充電及び決済が完了した旨を携帯型端末２０のディスプレイ上に表示する。その他、表示制御部２１０は、ユーザＵへ情報を報知するための各種表示を制御する。
なお、表示制御部２１０による表示内容は、充電器３０の管理者（すなわち充電サービス）ごとに異なる仕様のものとすることができる。この場合には、先述のとおり、ビーコンに含まれる管理者識別情報及び／または位置情報に応じて充電器３０の管理者を特定すればよい。管理者の特定及び管理者に応じた表示内容の切り替えは、充電サービス提供サーバ１０のユーザ画面処理部１１５と協働して行うことも考えられるし、あるいは、充電用アプリケーション２００の表示制御部２１０が単独で行うことも考えられる。
【００５８】
入力部２２０は、携帯型端末２０に設けられた例えば操作ボタンやタッチパネルなどへのユーザＵからの入力操作を受け付け、関係する機能ブロックへ操作内容を伝達する。例えば充電を開始するための操作入力がなされた場合には、入力部２２０はユーザ情報処理部２４０へその旨を伝達し、ユーザ情報処理部２４０は充電を開始するために必要な認証情報２７１を充電サービス提供サーバ１０へと送信する。また、入力部２２０は充電を開始する操作が行われるとその旨を決済処理部２６０にも伝達し、決済処理部２６０は決済サービス提供サーバ４０との間で決済情報２７３の有効性を確認する。
【００５９】
充電器情報処理部２３０は、充電器３０に係る各種処理を行う。充電器情報処理部２３０は、識別情報受信部２３１、識別情報通知部２３３、充電状況処理部２３５及び充電完了処理部２３７を含む。
【００６０】
識別情報受信部２３１は、充電器３０からＢｌｕｅｔｏｏｔｈ（登録商標）規格を利用したｉＢｅａｃｏｎ（登録商標）に基づくビーコン信号の一部として、充電器３０の識別情報を受信する。
【００６１】
識別情報通知部２３３は、当該受信した充電器３０の識別情報を、ネットワークＮを介して充電サービス提供サーバ１０へと送信する。これにより、充電サービス提供サーバ１０は当該識別情報に対応する充電器情報１３３を検索し、当該充電器情報１３３を携帯型端末２０へと送信する。表示制御部２１０は当該受信した充電器情報に基づき、ユーザＵに充電器３０の情報を報知する。
【００６２】
充電状況処理部２３５は、例えばユーザ操作に応じて充電サービス提供サーバ１０に対して充電状況を問い合わせ、充電器３０による車両ＥＶへの充電状況を受信する。表示制御部２１０は、受信した、例えば充電残り時間や充電割合等の充電状況を、ユーザＵに報知すべくディスプレイに表示する。充電状況処理部２３５は、ユーザ操作に応じて充電サービス提供サーバ１０に充電状況を問い合わせずとも、例えば定期的に充電サービス提供サーバ１０から充電状況を受信しても良い。
【００６３】
充電完了処理部２３７は、充電器３０による車両ＥＶへの充電が完了した旨の充電完了通知を充電サービス提供サーバ１０から受信する。充電完了処理部２３７が当該充電完了通知を受信すると、決済処理部２６０は当該充電量等に応じた充電費用に係る決済処理を、決済サービス提供サーバ４０との間で行う。決済処理部２６０による決済処理が完了すれば、表示制御部２１０は充電及び決済が完了した旨を、例えばポップアップ等によりユーザＵに報知する。
【００６４】
ユーザ情報処理部２４０は、例えば充電サービス提供サーバ１０から充電器情報を受信し、表示制御部２１０が当該充電器への充電を要求するための操作を行った場合に、ＤＢ２７０から認証情報２７１を読み出し、充電サービス提供サーバ１０へと送信する。ここで、認証情報２７１は、例えば充電用アプリ２００の初回起動時や充電サービスの初回利用時等のタイミングで予めユーザＵに登録され、ＤＢ２７０内で管理される。
【００６５】
クーポン処理部２５０は、例えば充電開始時等のタイミングで充電サービス提供サーバ１０から発行されるクーポンをユーザＵに利用可能とする。クーポン処理部２５０が当該クーポンを利用させる形式はいかなる形式であっても良い。例えば、二次元バーコード等をディスプレイ上に外部装置が読取り可能に表示させるようにしても良いし、店員が内容を確認可能に文字列等によりクーポンを表示させるようにしても良い。或いは、例えばＩＣチップを用いた近距離無線通信等によりクーポンを外部装置が読み取り可能としてもよい。もしクーポンに有効期限が設定されている場合には、クーポン処理部２５０は当該クーポンを利用不可とすることができる。
【００６６】
決済処理部２６０は、ユーザＵが充電器３０による車両ＥＶの充電を要求する際に、ＤＢ２７０から決済情報２７３を読みだして、当該決済情報２７３を決済サービス提供サーバ４０に送信することにより、決済情報２７３が有効であるか否かを確認する。また決済処理部２６０は、ユーザＵの保有する車両ＥＶへの充電が完了した旨の充電完了通知を充電サービス提供サーバ１０から充電完了処理部２３７が受信すると、決済情報２７３を用いて、決済サービス提供サーバ４０との間で決済処理を行う。ここで、決済情報２７３は、例えば充電用アプリ２００の初回起動時や充電サービスの初回利用時等のタイミングで予めユーザＵに登録され、ＤＢ２７０内で管理される。
【００６７】
決済処理部２６０が行う決済サービス提供サーバ４０との間の決済処理は種々考えられるが、例えば、決済情報２７３に含まれるクレジットカード番号や口座番号等の情報を元に決済サービス提供サーバ４０との間で決済処理を行うことが考えられる。或いは決済サービス提供サーバ４０側でユーザアカウントに紐付けられたクレジットカードを用いた決済サービスを提供しており、決済処理部２６０は当該ユーザアカウントに決済情報２７３に含まれる情報を用いてログインすることにより決済処理を実行しても良い。この場合、決済処理部２６０は、当該ユーザアカウントにログインするためのＩＤ及びパスワード等を含む決済情報２７３を用いて、決済サービス提供サーバ４０の提供する決済サービスにて決済処理を行う。
【００６８】
このように、充電システム１において、充電に係る費用をユーザＵが支払うために用いる決済情報２７３は、あくまでユーザＵの保有する携帯型端末２０上で管理され、充電サービス提供サーバ１０に渡されることはない。これにより、当該充電システム１上では、ユーザＵの決済情報２７３に係るセキュリティを担保することが可能である。
【００６９】
ＤＢ２７０は、認証情報２７１及び決済情報２７３を、充電用アプリ２００が管理する記憶領域上に管理する。認証情報２７１は、例えば充電システム１で提供される充電サービスをユーザＵが利用するための認証に用いられる情報であり、例えばユーザＩＤやパスワード等の情報を含むことができる。
【００７０】
決済情報２７３は、ユーザＵが充電に係る費用を支払うための各種情報である。例えば、決済情報２７３には、クレジットカード番号等の情報や、銀行口座などの情報を含むことができる。或いは、決済サービス提供サーバ４０の提供する決済サービスにてクレジットカードの情報や銀行口座などの情報を管理する場合には、例えば当該決済サービスを利用するためのログイン情報を決済情報２７３に含むことができる。この場合、決済情報２７３には、決済サービスのユーザアカウントにログインするためのＩＤやパスワード等の情報を含むことができる。
【００７１】
位置情報通知部２８０は、携帯型端末２０に備わったセンサ（例えば後述するＧＰＳセンサ）によって検出される携帯型端末２０の位置を特定可能な情報である位置情報を、ネットワークＮを介して充電サービス提供サーバ１０へと送信する。これにより、充電サービス提供サーバ１０は、充電器情報１３３と照合することによって携帯型端末２０の位置が当該充電器情報１３３に対応する充電器３０の近隣であるか否かを確認することができる。
【００７２】
（２．３．  充電器３０）
続いて、図４を参照しながら、本実施形態に係る充電器３０の機能構成を説明する。充電器３０は、大きくサーバ通信部３１０と、車両制御部３２０とを含む。
【００７３】
サーバ通信部３１０は、充電サービスを車両ＥＶに提供するにあたって、必要な通信を充電サービス提供サーバ１０との間で行う。サーバ通信部３１０による充電サービス提供サーバ１０との間の通信は、標準規格であるＯＣＰＰに基づいて行われる。サーバ通信部３１０は、充電開始要求受信部３１１、充電情報通知部３１３、及び充電完了通知部３１５を含む。
【００７４】
充電開始要求受信部３１１は、充電サービス提供サーバ１０からＯＣＰＰに基づく充電開始要求を受信する。充電開始要求受信部３１１が充電開始要求を受信すると、車両制御部３２０に含まれる給電部３２３は給電ケーブルに接続された車両ＥＶへの給電を開始する。
【００７５】
充電情報通知部３１３は、車両制御部３２０に含まれる充電状況取得部３２１が車両ＥＶから随時取得する充電状況を、ＯＣＰＰに基づいて充電サービス提供サーバ１０へと通知する。また、車両ＥＶに搭載されたバッテリの充電が完了すると、充電完了通知部３１５は、充電が完了した旨の充電完了通知を充電サービス提供サーバ１０へとＯＣＰＰにより送信する。
【００７６】
車両制御部３２０は、車両ＥＶの搭載するバッテリへの充電に係る各種制御を行う。車両制御部３２０は、充電状況取得部３２１及び給電部３２３を含む。
【００７７】
充電状況取得部３２１は、給電ケーブルを通じて接続される車両ＥＶとの間で通信を行うことにより、車両ＥＶの情報や充電に要する時間、充電割合（全容量に占める現在の充電量の割合）等の情報を車両ＥＶから取得する。当該充電情報は、サーバ通信部３１０に含まれる充電情報通知部３１３から充電用アプリ２００へと通知される。
【００７８】
給電部３２３は、給電ケーブルに接続された車両ＥＶに搭載されたバッテリに給電することにより、当該バッテリを充電する。
【００７９】
（３．  処理の流れ）
以下、充電システム１における処理の流れを、図５を参照しながら説明する。図５は、本実施形態に係る充電システム１の処理の流れを示すシーケンス図である。
【００８０】
なお、後述の各処理ステップは、処理内容に矛盾を生じない範囲で、任意に順番を変更して若しくは並列に実行することができ、また、各処理ステップ間に他のステップを追加しても良い。更に、便宜上１つのステップとして記載されているステップは複数のステップに分けて実行することもでき、便宜上複数に分けて記載されているステップを１ステップとして実行することもできる。
【００８１】
充電器３０は、定期的にｉＢｅａｃｏｎ（登録商標）に基づくビーコン信号を送信する（Ｓ５０１）。ユーザＵが充電器３０の近傍に移動することにより携帯型端末２０の充電用アプリ２００が識別情報受信部２３１で当該ビーコン信号を受信すると、識別情報受信部２３１はビーコン信号の中に含まれる充電器３０の識別情報を抽出する（Ｓ５０３）。識別情報通知部２３３は当該識別情報を充電サービス提供サーバ１０へと送信する（Ｓ５０５）。このとき、併せて位置情報通知部２８０は、位置情報を充電サービス提供サーバ１０へと送信する。
【００８２】
充電サービス提供サーバ１０の充電器情報処理部１１１は、当該受信した識別情報をキーとしてＤＢ１３０を検索することにより、当該識別情報に対応する充電器３０に係る充電器情報１３３を取得する。充電器情報処理部１１１は、当該充電器情報１３３を携帯型端末２０へと送信する（Ｓ５０７）。
【００８３】
なお、充電器情報処理部１１１は、受信した位置情報を充電器情報１３３に含まれる充電器３０の位置情報と照合してその整合性を判断し、その結果、携帯型端末２０が実際には充電器３０の近隣に存在しないと判断される場合には、以降の処理へ進まないように充電器制御部１２０等へ指示する。これは、携帯型端末２０が実際に充電器３０の近隣に存在しない場合には、充電サービス提供サーバ１０へのハッキング等の不正なアクセスの可能性が考えられるので、それを防ぐためである。
【００８４】
充電サービス提供サーバ１０のユーザ画面処理部１１５は、携帯型端末２０から受信した識別情報をキーとしてＤＢ１３０を検索することにより、当該識別情報に対応する受電器３０の管理者を特定し、当該管理者毎に個別に用意されているユーザ画面（インタフェース画面）を携帯型端末２０に表示させるための情報（管理者毎の画面情報）を携帯型端末２０へと送信する（Ｓ５０９）。
【００８５】
携帯型端末２０の充電用アプリ２００は、充電サービス提供サーバ１０から充電器情報を受信すると、充電器３０の情報と共に、充電器３０の給電ケーブルを車両ＥＶに接続することを求める表示等を表示制御部２１０により行う。このときの表示は、充電サービス提供サーバ１０から送信された管理者毎の画面情報に基づいて、充電器３０の管理者毎にカスタマイズされた内容の表示となる（後述の図６参照）。
【００８６】
画面表示に応じて、ユーザＵにより充電代金の決済方法の選択ならびに充電器３０による車両ＥＶへの充電を行う旨の操作入力が入力部２２０に対してなされると（Ｓ５１１）、ユーザ情報処理部２４０は、予めＤＢ２７０に登録されている認証情報２７１を読み出して充電サービス提供サーバ１０へと通知する（Ｓ５１３）。
【００８７】
また、決済処理部２６０は、予めＤＢ２７０に登録されている決済情報２７３を読み出して決済サービス提供サーバ４０に当該決済情報２７３が有効であるか否かを問い合わせる（Ｓ５１５）。決済サービス提供サーバ４０は受信した決済情報２７３が有効に費用を引き落とすことができるものであるか否かを確認し（Ｓ５１７）、その確認結果を充電用アプリ２００へと通知する（Ｓ５１９）。充電用アプリ２００の決済処理部２６０は、決済情報２７３の有効性に係る確認結果を、充電サービス提供サーバ１０に対して送信する（Ｓ５２１）。
【００８８】
充電サービス提供サーバ１０のユーザ情報処理部１１７は、受信した認証情報２７１の有効性を確認する（Ｓ５２３）。具体的には、ユーザ情報処理部１１７は、受信した認証情報２７１をＤＢ１３０に格納されたユーザ認証情報１３１と照合し、両者が一致すれば認証情報２７１が有効なものであると判断する。
【００８９】
また、ユーザ情報処理部１１７は、携帯型端末２０が有効に決済可能である（決済情報２７３が有効である）旨の通知を携帯型端末２０から受信する。その結果、携帯型端末２０から受信した認証情報２７１が有効であり、また携帯型端末２０が決済可能な状態である場合には、充電開始要求部１２１は充電器３０に対して充電開始を要求する（Ｓ５２５）。
【００９０】
なお、充電器３０自体に現金での支払いを受け付ける手段が備わっており、上記したステップＳ５１１において決済方法として現金での支払いが選択された場合には、決済処理部２６０は、現金決済である旨を充電サービス提供サーバ１０へと送信する。この場合には、上記したステップＳ５１３、Ｓ５１５、Ｓ５１７、Ｓ５１９、Ｓ５２１、Ｓ５２３は省略され、充電開始要求部１２１は充電器３０に対して充電開始を要求する（Ｓ５２５）。
【００９１】
充電サービス提供サーバ１０から充電開始要求を受信した充電器３０は、給電部３２３により給電ケーブルに接続された車両ＥＶに対する充電を開始する（Ｓ５２７）。
【００９２】
充電を開始（Ｓ５２７）した後は、携帯型端末２０のディスプレイ上に適時充電状況が表示される。そして、充電器３０による車両ＥＶへの給電が終了すると、充電器３０の充電完了通知部３１５は充電完了を充電サービス提供サーバ１０へと通知する（Ｓ５２９）。充電サービス提供サーバ１０は充電完了通知を充電器３０から受信すると、充電完了通知部１１５が充電完了通知を携帯型端末２０へと送信する（Ｓ５３１）。
【００９３】
充電用アプリ２００の充電完了処理部２３７が充電完了通知を受信すると、決済処理部２６０は、充電完了通知に含まれる例えば充電量等の情報に基づき、決済サービス提供サーバ４０との間で充電に係る費用の支払処理（決済処理）を行う（Ｓ５３３）。なお、現金決済が選択されていた場合には、表示制御部２１０は、充電器３０の入金手段に対して直接費用を支払うように促すメッセージをディスプレイ上に表示する（Ｓ５３５）。
【００９４】
携帯型端末２０の充電用アプリ２００は、決済処理部２６０による決済処理（または現金決済処理）が完了すると、表示制御部２１０が充電及び決済が完了した旨を例えばポップアップにより表示することによりユーザＵへ報知する（Ｓ５３７）。
【００９５】
図６は、充電器の管理者毎にカスタマイズされた内容の表示の一例を示す図である。図６（Ａ）は、充電器３０の管理者がＡ社である場合の表示画面例であり、図６（Ｂ）は、充電器３０の管理者がＢ社である場合の表示画面例である。図６（Ａ）に示すＡ社の表示画面は、このページがＡ社に対応するものであることを示すロゴが左上に表示されるとともに、利用しようとしている充電器３０の名称を示す情報８０１、給電ケーブルの接続ならびに支払方法の選択を促す情報８０３が表示され、かつ支払方法を選択するための２つのボタン８０５が表示されている。ここでは、支払方法として、クレジットカードと現金の二つの選択肢が提示されている。他方、図６（Ｂ）に示すＢ社の表示画面は、このページがＢ社に対応するものであることを示すロゴが左上に表示されるとともに、利用しようとしている充電器３０の名称を示す情報８１１、給電ケーブルの接続ならびに支払方法の選択を促す情報８１３が表示され、かつ支払方法を選択するための３つのボタン８１５が表示されている。ここでは、支払方法として、クレジットカード、暗号通貨（仮想通貨）、およびＢ社独自に設定されており支払に利用可能なポイントであるＢ−ポイントの三つの選択肢が示されている。
【００９６】
（４．  ハードウェア構成）
次に、図７及び図８を参照しながら、充電サービス提供サーバ１０及び携帯型端末２０のハードウェア構成について図７及び図８を参照しながら説明する。
【００９７】
（４．１．  充電サービス提供サーバ１０）
まず、図７を参照しながら充電サービス提供サーバ１０のハードウェア構成を説明する。図７に示すように、充電サービス提供サーバ１０は、制御部６０１と、通信インタフェース（Ｉ／Ｆ）部６０５と、記憶部６０７と、表示部６１３と、入力部６１５とを含み、各部はバスライン６１７を介して接続される。
【００９８】
制御部６０１は、ＣＰＵ（Ｃｅｎｔｒａｌ  Ｐｒｏｃｅｓｓｉｎｇ  Ｕｎｉｔ。図示せず）、ＲＯＭ（Ｒｅａｄ  Ｏｎｌｙ  Ｍｅｍｏｒｙ。図示せず）、ＲＡＭ（Ｒａｎｄｏｍ  Ａｃｃｅｓｓ  Ｍｅｍｏｒｙ）６０３等を含む。制御部６０１は、記憶部６０７に記憶される制御プログラム６０９を実行することにより、一般的な情報処理装置としての機能に加え、上述した充電サービスにかかる処理を実現可能に構成される。例えば、図２を参照しながら説明したユーザ端末制御部１１０、及び充電器制御部１２０は、ＲＡＭ６０３に一時記憶された上で、ＣＰＵ上で動作する制御プログラム６０９として実現可能である。
【００９９】
また、ＲＡＭ６０３は、制御プログラム６０９に含まれるコードの他、図２に示したユーザ認証情報１３１、及び充電器情報１３３を格納するＤＢ１３０の一部又は全部を一時的に保持する。更にＲＡＭ６０３は、ＣＰＵが各種処理を実行する際のワークエリアとしても使用される。
【０１００】
通信Ｉ／Ｆ部６０５は、携帯型端末２０や充電器３０、クーポンサービス提供サーバ５０を含む外部の装置との間で、有線又は無線によるネットワークＮを介したデータ通信を行うためのデバイスである。図２で示したユーザ端末制御部１１０、充電器制御部１２０が携帯型端末２０や充電器３０、クーポンサービス提供サーバ５０との間で行う通信は、全て通信Ｉ／Ｆ部６０５が行う。
【０１０１】
記憶部６０７は、例えばＨＤＤ（Ｈａｒｄ  Ｄｉｓｋ  Ｄｒｉｖｅ）やフラッシュメモリ等の不揮発性の記憶媒体である。記憶部６０７は、一般的な情報処理装置としての機能を実現するためのオペレーティングシステム（ＯＳ）やアプリケーション及びデータ（図示せず）を記憶する。また記憶部６０７は、制御プログラム６０９及びＤＢ１３０を記憶する。前述のとおり、図２に示したユーザ端末制御部１１０、及び充電器制御部１２０は、制御プログラム６０９に含まれる。
【０１０２】
ＤＢ１３０は、充電制御に必要な各種データ、例えば図２に示したユーザ認証情報１３１、及び充電器情報１３３などを含むことができる。ＤＢ１３０に含まれる各種データは、必要に応じてＲＡＭ６０３等にロードされ、制御部６０１に含まれるＣＰＵから参照される。
【０１０３】
表示部６１３は、管理者に情報を表示するためのディスプレイ装置である。表示部６１３の具体例としては、例えば液晶ディスプレイや有機ＥＬ（Ｅｌｅｃｔｒｏ−Ｌｕｍｉｎｅｓｃｅｎｃｅ）ディスプレイ等が挙げられる。入力部６１５は、管理者から入力を受け付けるためのデバイスである。入力部６１５の具体例としては、キーボードやマウス、タッチパネル等を挙げることができる。
【０１０４】
なお、充電サービス提供サーバ１０は、表示部６１３及び入力部６１５を必ずしも備える必要はない。また表示部６１３及び入力部６１５は、ＵＳＢ（Ｕｎｉｖｅｒｓａｌ  Ｓｅｒｉａｌ  Ｂｕｓ）やディスプレイポート等の各種インタフェースを介して外部から充電サービス提供サーバ１０に接続されても良い。
【０１０５】
（４．２．  携帯型端末２０）
次に、図８を参照しながら携帯型端末２０のハードウェア構成を説明する。図８に示すように、携帯型端末２０は、制御部７０１と、Ｂｌｕｅｔｏｏｔｈ（登録商標）通信部７０５と、インターネット通信部７０７と、記憶部７０９と、表示部７１１と、入力部７１３とＧＰＳセンサ７１５を含み、各部はバスライン７１９を介して接続される。
【０１０６】
制御部７０１は、ＣＰＵ（図示せず）、ＲＯＭ（図示せず）、ＲＡＭ７０３等を含む。制御部７０１は、記憶部７０９に記憶される充電用アプリ２００を実行することにより、一般的な情報処理装置としての機能に加え、上述した充電サービスに係る処理を実現可能に構成される。例えば、図３を参照しながら説明した表示制御部２１０、入力部２２０、充電器情報処理部２３０、ユーザ情報処理部２４０、クーポン処理部２５０、及び決済処理部２６０は、ＲＡＭ７０３に一時記憶された上で、ＣＰＵ上で動作する充電用アプリ２００の２００一部として実現可能である。
【０１０７】
また、ＲＡＭ７０３は、充電用アプリ２００に含まれるコードの他、図３に示した認証情報２７１及び決済情報２７３を格納するＤＢ２７０の一部又は全部を一時的に保持する。更にＲＡＭ７０３は、ＣＰＵが各種処理を実行する際のワークエリアとしても使用される。
【０１０８】
Ｂｌｕｅｔｏｏｔｈ（登録商標）通信部７０５は、例えば充電器３０から定期的に送信されるＢｌｕｅｔｏｏｔｈ（登録商標）通信によるビーコン信号を受信するためのデバイスである。図３に示した識別情報受信部２３１が受信するビーコン信号は、Ｂｌｕｅｔｏｏｔｈ（登録商標）通信部７０５が受信する。
【０１０９】
インターネット通信部７０７は、充電サービス提供サーバ１０、決済サービス提供サーバ４０及びクーポンサービス提供サーバ５０を含む外部の装置との間で、ネットワークＮを介したデータ通信を行うためのデバイスである。図３で示した識別情報通知部２３３、充電状況処理部２３５、充電完了処理部２３７、クーポン処理部２５０、決済処理部２６０等が充電サービス提供サーバ１０やクーポンサービス提供サーバ５０との間で行う通信は、全てインターネット通信部７０７が行う。
【０１１０】
記憶部７０９は、例えばＨＤＤやフラッシュメモリ等の不揮発性の記憶媒体である。記憶部７０９は、一般的な情報処理装置としての機能を実現するためのオペレーティングシステムやアプリケーション及びデータを記憶する。また記憶部７０９は、充電用アプリ２００を記憶する。充電用アプリ２００には、表示制御部２１０、入力部２２０、充電器情報処理部２３０、ユーザ情報処理部２４０、及びクーポン処理部２５０が含まれる。また記憶部７０９には、充電用アプリ２００が管理し、ＤＢ２７０を格納する記憶領域も確保される。ＤＢ２７０には、図３で説明したように、認証情報２７１及び決済情報２７３が含まれる。ＤＢ２７０に含まれる各種データは、必要に応じてＲＡＭ７０３にロードされ、制御部７０１に含まれるＣＰＵから参照される。
【０１１１】
表示部７１１は、ユーザＵに報知する情報を表示するためのディスプレイ（表示装置）である。表示部７１１の具体例としては、例えば液晶ディスプレイや有機ＥＬディスプレイ等が挙げられる。
【０１１２】
入力部７１３は、ユーザＵから入力を受け付けるためのデバイスである。入力部７１３の具体例としては、タッチパネルや各種操作ボタン等を挙げることができる。なお、表示部７１１及び入力部７１３は、例えばＢｌｕｅｔｏｏｔｈ（登録商標）通信部７０５が通信可能な外部装置等として実現することも可能である。
【０１１３】
ＧＰＳセンサ７１５は、携帯型端末２０の存在する位置を特定するための位置情報を検出するためのセンサである。
【０１１４】
（５．  本実施形態の効果）
以上説明したように、本実施形態に係る充電システム１では、異なる管理者（営業主体）によって管理される充電器であっても、ユーザは、管理者のそれぞれに対応して利用するホームページを切り換えてアクセスする必要や、管理者のそれぞれに対応した複数のアプリケーションプログラムを携帯機にインストールする必要がなくなるので、給電時のユーザの利便性を向上できる。また、携帯型端末２０の位置が充電器３０の近隣ではないと推測される場合には充電が実行されないので、充電サービス提供サーバ１０へのハッキング等の不正なアクセス等を防ぐことができる。
【０１１５】
（６．  付記事項）
なお、上述の実施形態の構成は、組み合わせたり或いは一部の構成部分を入れ替えたりしてもよい。また、本発明の構成は上述の実施形態のみに限定されるものではなく、本発明の要旨を逸脱しない範囲内において種々変更を加えてもよい。
【符号の説明】
【０１１６】
１      ：充電システム
１０    ：充電サービス提供サーバ
２０    ：携帯型端末
３０    ：充電器
４０    ：決済サービス提供サーバ
５０    ：クーポンサービス提供サーバ
１１０  ：ユーザ端末制御部
１１１  ：充電器情報処理部
１１３  ：充電情報通知部
１１５  ：ユーザ画面処理部
１１７  ：ユーザ情報処理部
１１９  ：クーポン発行処理部
１２０  ：充電器制御部
１２１  ：充電開始要求部
１２３  ：充電状況取得部
１２５  ：充電完了通知受信部
１３０  ：データベース（ＤＢ）
２００  ：充電用アプリケーション
２１０  ：表示制御部
２２０  ：入力部
２３０  ：充電器情報処理部
２３１  ：識別情報受信部
２３３  ：識別情報通知部
２３５  ：充電状況処理部
２３７  ：充電完了処理部
２４０  ：ユーザ情報処理部
２５０  ：クーポン処理部
２６０  ：決済処理部
２７０  ：データベース
２８０  ：位置情報通知部
ＥＶ    ：車両
Ｕ      ：ユーザ
【図１】
2020022110.tif 000003
【図２】
2020022110.tif 000004
【図３】
2020022110.tif 000005
【図４】
2020022110.tif 000006
【図５】
2020022110.tif 000007
【図６】
2020022110.tif 000008
【図７】
2020022110.tif 000009
【図８】
2020022110.tif 000010
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
充電器が送信するビーコン信号に含まれる前記充電器の識別情報を、ユーザが操作する携帯端末から受信する第１受信手段と、
前記識別情報に対応する前記充電器の管理者毎に個別に設定される画面表示であって、少なくとも当該管理者毎に設定される代金支払いに関する情報を含む画面表示を前記携帯端末の１つのアプリケーション上で行わせるための画面情報を前記携帯端末へ送信する送信手段と、
前記画面情報に基づく前記携帯端末の前記アプリケーションでの前記画面表示に対して前記ユーザが行う操作に関する情報を前記携帯端末から受信する手段と、
を備える充電制御システム。
【請求項２】
前記送信手段は、前記ビーコン信号に含まれる識別情報により特定される前記充電器の管理者に応じた画面情報を前記携帯端末へ送信する、
請求項１記載の充電制御システム。
【請求項３】
前記第１受信手段は、位置情報を前記携帯端末から受信し、
前記送信手段は、前記位置情報から特定される前記充電器の管理者に応じた画面情報を前記携帯端末へ送信する、
請求項１又は請求項２記載の充電制御システム。
【請求項４】
前記画面表示は、少なくとも、前記管理者毎に設定されている代金支払に関する選択肢を前記ユーザへ与える内容を含む、
請求項１乃至請求項３のいずれか１項記載の充電制御システム。
【請求項５】
前記携帯端末の存在する位置を示す位置情報を前記携帯端末から受信する手段、
前記位置情報と前記充電器の設置位置との整合性を判断する手段、
を更に備える請求項１又は請求項２記載の充電制御システム。
【請求項６】
充電器の識別情報を含むビーコン信号を前記充電器から受信する処理と、
前記ビーコン信号の受信に応じて特定される前記充電器の管理者毎に個別に設定される画面表示であって、少なくとも当該管理者毎に設定される代金支払いに関する情報を含む画面表示を行う処理と、
前記画面表示に対してユーザが行う操作に関する情報を情報処理サーバへ送信する処理と、
を携帯端末に実行させるためのアプリケーションプログラム。
【請求項７】
前記ビーコン信号に含まれる前記識別情報を情報処理サーバへ送信する処理と、
前記識別情報に対応する前記充電器の管理者毎に個別に設定された画面表示を行わせるための画面情報を前記情報処理サーバから受信する処理と、
をさらに携帯端末に実行させるための請求項６記載のアプリケーションプログラム。
【請求項８】
前記携帯端末の存在する位置を示す位置情報を前記情報処理サーバへ送信する処理、
を更に前記携帯端末に実行させるための請求項６又は請求項７記載のアプリケーションプログラム。
【請求項９】
充電器が、当該充電器の識別情報を含むビーコン信号を送信するステップと、
ユーザの操作する携帯端末が、前記ビーコン信号に含まれる前記識別情報を情報処理サーバへ送信するステップと、
前記情報処理サーバが、前記識別情報に対応する前記充電器の管理者毎に個別に設定される画面表示であって、少なくとも当該管理者毎に設定される代金支払いに関する情報を含む画面表示を前記携帯端末の１つのアプリケーション上で行わせるための画面情報を前記携帯端末へ送信するステップと、
前記携帯端末のアプリケーションが、前記画面情報に基づく前記画面表示を行うステップと、
前記携帯端末が、前記画面表示に対して前記ユーザが行う操作に関する情報を前記情報処理サーバへ送信するステップと、
を備える、充電制御システムにおける制御方法。